(57)【要約】【課題】治療椅子の高さ状態を考慮することなく、フットレストを操作可能とし、もって術者やアシスタントのフットレスト操作作業を軽減する。【解決手段】レッグレストの下端部にレッグレスト基板２０を有し、このレッグレスト２０のレール２１，２１にフットレスト基板３０の摺動部３１，３１が係合して、該フットレスト基板３０が動力シリンダ４０によって前後に移動するようになっている。図１（Ａ）は、フットレストがレッグレストの前方に出された状態を示し、この状態で、患者はフットレストの上に足を載せて治療を受ける。図１（Ｂ）はフットレストがレッグレストの後方に収納された状態を示し、この状態で、患者は治療椅子に乗降する。フットレスト基板３０は床面に対して平行に移動可能にレッグレスト基板３０に取り付けられており、フットレスト部がレッグレストの後方に収納可能となっている。【選択図】図１
2011041591.tif 000002
【特許請求の範囲】
【請求項１】
レッグレストの下端部にフットレストを有する歯科治療椅子において、前記フットレストは床面に対して平行にかつ前後に移動可能に前記レッグレストに取り付けられ、フットレスト部が前記レッグレストの後方に収納可能であることを特徴とする歯科治療椅子。
【請求項２】
前記レッグレストの下端部に、前記フットレストを前後方向に摺動可能に支持するレールを有しかつ前記レッグレストより後方に延長するフットレスト基板を有し、該フットレスト基板の延長部にエアーシリンダ又は電動シリンダを有し、該エアーシリンダ又は電動シリンダによって前記フットレストを前記レールに沿って前後に移動可能としたことを特徴とする請求項１に記載の歯科治療椅子。
【請求項３】
前記フットレストの前部にセンサを有し、該センサによって前記フットレストの前方に障害物が検出された時は、該フットレストが前方に移動しないようにしたことを特徴とする請求項１又は２に記載の歯科治療椅子。
【発明の詳細な説明】
【技術分野】
【０００１】
本発明は、歯科治療椅子に係り、より詳細には、フットレストを床面に平行に前後に移動可能にし、もって、治療椅子を最下位置にした状態で該フットレストをレッグレストの後方に収納可能とし、治療椅子の高さに関係なくフットレストの操作を可能とし、もって、歯科治療椅子の操作性の向上を図ったものである。
【背景技術】
【０００２】
図２は、従来の歯科治療椅子の一例を説明するための要部概略構成図で、図中、１０は歯科治療椅子、１１は安頭台、１２はバックレスト、１３はコンタシート、１４はレッグレスト、１５はフットレスト、１６は基台で、周知のように、常時は、起状態にあり、この状態で患者は、フットレスト１５の上に乗って、その後、コンタシート１３に腰掛ける。その後、ドクターは、椅子を倒状態に（寝状態）にして治療を行い、或いは、起状態にするとともに、椅子を上昇させて患者がうがいがしやすいようにする等、椅子１０を起、或いは、倒状態にして歯科治療を行う。
【０００３】
上記歯科治療椅子においては、患者は、フットレスト１５の上に乗って、その後、コンタシート１３に腰掛けるようにしており、また、うがい時には、椅子を上昇させてうがいしやすい状態にするが、この時、患者は、足をフットレスト１５の上に載せることができ、これによって、安定して腰掛けていることができるようになっている。
【０００４】
上述のように、従来の歯科治療椅子においては、フットレストを有し、このフットレストの上に足を載せることによって、安定して腰掛けることができるようになっているが、乗降時、フットレスト１５の上に乗ってからコンタシート１３に腰掛けるようになっているため、老人や肢体不自由の患者は、狭いフットレストの上に乗ってから腰掛けなければならず、治療椅子への乗降が大変であった。勿論、フットレストがなければ、治療椅子への乗降は楽にできるが、治療中、特に、椅子が上昇された時に、足が宙ぶらりんになり、患者に不安感を与えてしまう。
【０００５】
図３は、上述のごとき従来技術における問題を解決した例（特許文献１）を説明するための要部構成図で、図示のように、フットレスト１５を矢印Ａ方向に倒して鎖線にて示す状態とし、この状態で矢印Ｂ方向に移動させてレッグレスト１４の裏側に収納し、この状態で、椅子を下げて乗降し、その後、椅子を上昇させ、前記と逆の手順を辿って図２の状態にし、この状態で治療を受ける。
【０００６】
上述のようにすると、治療椅子への乗降に際し、フットレストに乗ることなく乗降でき、かつ、治療椅子に座っている時は、フットレスト上に足を載せることができ、老人や肢体不自由者にやさしい歯科治療椅子を提供することができるが、治療椅子を下げた状態では、フットレストを前述のように作動させることはできず、フットレストを操作する場合には、常に、歯科治療椅子の高さを考慮してフットレストを操作しなければならず、操作性が悪かった。
【先行技術文献】
【特許文献】
【０００７】
【特許文献１】特開平１１−３３０６６号公報
【発明の概要】
【発明が解決しようとする課題】
【０００８】
本発明は、上述のごとき実情に鑑みてなされたもので、治療椅子の高さに関係なくフットレストを操作可能とし、治療椅子への乗降に際し、フットレストに乗ることなく乗降でき、かつ、治療椅子に座っている時は、フットレスト上に足を載せることができ、老人や肢体不自由者にやさしい歯科治療椅子を提供することを目的としてなされたものである。
【課題を解決するための手段】
【０００９】
上記課題を解決するために、本発明の請求項１の発明は、レッグレストの下端部にフットレストを有する歯科治療椅子において、前記フットレストは床面に対して平行にかつ前後に移動可能に前記レッグレストに取り付けられ、フットレスト部が前記レッグレストの後方に収納可能であることを特徴としたものである。
【００１０】
請求項２の発明は、請求項１の発明において、前記レッグレストの下端部に、前記フットレストを前後方向に摺動可能に支持するレールを有しかつ前記レッグレストより後方に延長するフットレスト基板を有し、該フットレスト基板の延長部にエアーシリンダ又は電動シリンダを有し、該エアーシリンダ又は電動シリンダによって前記フットレストを前記レールに沿って前後に移動可能としたことを特徴としたものである。
【００１１】
請求項３の発明は、請求項１又は２の発明において、前記フットレストの前部にセンサを有し、該センサによって前記フットレストの前方に障害物が検出された時は、該フットレストが前方に移動しないようにしたことを特徴としたものである。
【発明の効果】
【００１２】
本発明は、上述のごとき実情に鑑みてなされたもので、治療椅子の高さに関係なくフットレストを操作可能とし、もって、術者又はアシスタントの作業を軽減し、患者は、治療椅子への乗降に際し、フットレストに乗ることなく乗降でき、かつ、治療椅子に座っている時は、フットレスト上に足を載せることができ、安定した状態で乗降できかつ治療を受けることができる。
【図面の簡単な説明】
【００１３】
【図１】本発明による歯科治療椅子のフットステップ部の要部構成例を示す図である。
【図２】従来の歯科治療椅子の例を説明するための図である。
【図３】従来の歯科治療椅子のフットレストの動作例を説明するための図である。
【発明を実施するための形態】
【００１４】
図１は、本発明による歯科治療椅子のフットレスト部の要部構成図（全体構成は、図２と同じ）で、図中、２０はレッグレストの最下端に設けられたレッグレスト基板、３０はフットレスト基板で、レッグレスト基板２０には、フットレスト基板３０を摺動案内するレール２１，２１が設けられており、フットレスト基板３０には該レール２１，２１と係合して該レールに沿って移動する摺動部３１，３１が設けられており、図１（Ａ）に示す状態（フットレストがレッグレストの前方に出て、患者がフットレスト上に足を載せることができる状態）と、図１（Ｂ）に示す状態（フットレストがレッグレストの後側に収納され、患者が治療椅子に乗降する際、フットレストが乗降の邪魔にならない状態）との間で、移動可能となっている。
【００１５】
レッグレスト基板２０は、後方に延長する延長部（好ましくは、患者や術者（Ｄｒ）から構造が見えにくいスピットン設置側に設けられる）２２を有し、この延長部２２上にエアーシリンダ又は電動シリンダ４０の一端（シリンダ側）が回動可能に固定され、他端（スピットン側）がフットレスト基板３０に回動可能に固定されている。従って、エアーシリンダ又は電動シリンダ４０を駆動することによって、フットレスト基板３０をレッグレストの前方に出したり、レッグレストの後方に収納したりすることができる。
【００１６】
上述のように、フットレストが前後に移動可能なため、特に、前方に移動する際、前方に患者の足やその他の障害物がある場合、患者が怪我をしたり、フットレストが損傷したりする恐れがある。このような恐れを回避するためには、フットレストの前方（及び後方）に光電センサ、超音波センサ等の安全センサを設けておき、該安全センサによって、足や障害物の存在を検知した時は、フットレストの移動を停止するようにするとよい。
【００１７】
本発明によると、治療椅子の高さに関係なくフットレストを操作可能としたので、術者やアシスタントは、治療椅子の高さ状態を考慮することなく、フットレストを操作することができるので、術者やアシスタントの作業が軽減され、作業効率が向上する。
【符号の説明】
【００１８】
２０…レッグレスト基板、２１…レール、２２…レッグレストの延長部、３０…フットレスト基板、３１…摺動部（レール２１との係合部）、４０…エアーシリンダ又は電動シリンダ、４１…シリンダ、４２…ピストン。
【図１】
2011041591.tif 000003
【図２】
2011041591.tif 000004
【図３】
2011041591.tif 000005